【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
従業員の健康を監視するためのシステムであって、前記システムは、
従業員ワークステーションであって、
従業員コンピュータと、
前記従業員ワークステーション全体に設置された複数の健康センサであって、前記複数の健康センサは、バイオメトリックセンサおよびバイオメカニカルセンサのうちの少なくとも１つを含み、前記バイオメトリックセンサは前記従業員のバイオメトリック特性を感知し、前記従業員のバイオメトリック特性を示す対応するバイオメトリック健康データを出力するように構成され、前記バイオメカニカルセンサは前記従業員のバイオメカニカル特性を感知し、前記従業員のバイオメカニカル特性を示す対応するバイオメカニカル健康データを出力するように構成され、前記複数の健康センサは前記従業員の前記バイオメトリック健康データおよび前記バイオメカニカル健康データに対応する健康データを出力するように構成される、複数の健康センサと、を備える、従業員ワークステーションと、
健康監視サーバであって、
前記従業員の前記バイオメトリック健康データおよび前記バイオメカニカル健康データに対応する前記健康データを収集することと、
少なくともある程度前記収集された健康データに基づいて、前記従業員の健康特性、健康状態、健康の危険性、および健康計画のうちの１つ以上を含む、前記従業員の健康プロファイルを決定することと、
表示用の前記従業員コンピュータに、前記従業員の前記健康プロファイルに関する情報を伝達するように構成されたアバターを含む、健康プロファイルコンテンツを供給することと、を行うように構成される、健康監視サーバと、を備える、システム。
【請求項２】
前記健康プロファイルコンテンツは、前記従業員の前記健康プロファイルの前記健康特性、前記健康状態、前記健康の危険性、および前記健康計画のうちの前記少なくとも１つの文字による説明を含み、前記アバターは、前記従業員の前記健康プロファイルの前記健康特性、前記健康状態、前記健康の危険性、および前記健康計画のうちの少なくとも１つを言葉で伝達するように構成されたアニメーションキャラクターを含む、請求項１に記載のシステム。
【請求項３】
前記アバターは、可聴音声を介して伝達するように構成されたアニメーションキャラクターを含み、前記アバターは、前記アバターが前記ユーザに話しかけているように見えるようにアニメーション化される、請求項１または２に記載のシステム。
【請求項４】
前記健康監視サーバは、
前記従業員の前記健康特性、前記健康状態、および前記健康の危険性のうちの１つ以上を、前記１つ以上の健康特性、前記健康状態、および前記健康の危険性に対する許容範囲と比較し、
前記比較に基づいて、前記従業員の前記健康特性、前記健康状態、および前記健康の危険性のうちの少なくとも１つが、前記健康特性、前記健康状態、および前記健康の危険性のうちの前記１つ以上に対する前記許容範囲外にあることを決定するように構成され、
前記アバターは、人体のグラフィック表示であって、前記人体の前記グラフィック表示上に表示される１つ以上のグラフィックによる警告を含む、グラフィック表示を含み、前記グラフィックによる警告は、前記健康特性、前記健康状態、および前記健康の危険性の１つ以上に対する前記許容範囲外であると決定された、前記健康特性、前記健康状態、および前記健康の危険性のうちの前記１つ以上の位置に対応する前記人体の前記表示上の位置に表示される、請求項１〜３のいずれか一項に記載のシステム。
【請求項５】
前記健康監視サーバは、
前記健康計画の健康目標を識別し、
前記健康目標の達成を助けるために前記従業員がとるべき行動を識別するように構成され、
前記アバターは、前記健康目標の達成を助けるために前記従業員がとるべき前記行動のアニメーションによる実演を提供するように構成された指導アバターを含む、請求項１〜４のいずれか一項に記載のシステム。
【請求項６】
前記行動は、身体運動を含む、請求項５に記載のシステム。
【請求項７】
前記健康監視サーバは、
前記健康計画の健康目標を識別し、
前記健康目標の達成を助けるために、前記従業員がとるべき行動を識別するように構成され、
前記アバターは、前記健康目標の達成を助けるために、前記従業員がとるべき前記行動の言葉による説明を提供するように構成された指導アバターを含む、請求項１〜６のいずれか一項に記載のシステム。
【請求項８】
前記アバターは、対話型健康ダッシュボードを介して表示される、請求項１〜７のいずれか一項に記載のシステム。
【請求項９】
前記アバターは、健康状況ウィジェットを介して表示される、請求項１〜８のいずれか一項に記載のシステム。
【請求項１０】
もう１つの監視された健康状態に基づいて、従業員に健康情報を提供するためのシステムであって、前記システムは、
グラフィカルユーザインターフェースを備え、通信ネットワークと通信状態にある、コンピュータワークステーションと、
前記ワークステーションに設置された、前記従業員の健康のバイオメトリックおよびバイオメカニカル特性を検出するための１組の健康センサであって、
前記通信ネットワークと通信状態にあり、１つ以上の温度変換器、１つ以上の力変換器、１対以上の導電性接触部、１つ以上の血圧変換器、１つ以上の呼吸センサ、および１つ以上のパルスオキシメーターのうちの少なくとも１つを備えた１組のバイオメトリックセンサであって、前記従業員の体温を示す、前記温度変換器のうちの１つ以上によって出力される温度データ、前記従業員の体重を示す、前記力変換器のうちの１つ以上によって出力される力データ、前記従業員の体脂肪を示す、前記導電性接触部の対のうちの１つ以上によって出力される抵抗データ、前記従業員の血圧を示す、前記血圧変換器のうちの１つ以上によって出力される圧力データ、前記従業員の呼吸数を示す、前記１つ以上の呼吸センサによって出力される呼吸データ、および前記従業員の血液酸素化を示す、前記パルスオキシメーターのうちの１つ以上によって出力される血液状態データを備える、バイオメトリックセンサデータを出力するように構成される、１組のバイオメトリックセンサ、ならびに
前記通信ネットワークと通信状態にあり、１つ以上の温度変換器、１つ以上の力変換器、および３次元映像データを得るように適合された１つ以上のカメラのうちの少なくとも１つを備える、１組のバイオメカニカルセンサであって、前記従業員の身体の位置を示す、前記温度変換器のうちの１つ以上によって出力される温度データ、前記従業員の前記身体の位置を示す、前記力変換器のうちの１つ以上によって出力される力データ、および前記従業員の身体の位置と眼の動きとを示す、３次元画像を含む前記カメラのうちの１つ以上によって出力される画像データから構成される、バイオメカニカルセンサデータを出力するように構成される、１組のバイオメカニカルセンサのうちの少なくとも１つを備える、１組の健康センサと、
前記通信ネットワークと通信状態にあり、１人以上の従業員と関連づけられた従業員健康情報を記憶する、データベースと、
前記通信ネットワークと通信状態にあるコンピュータサーバであって、前記コンピュータサーバは、非一過性コンピュータ可読記憶媒体、入力／出力（Ｉ／Ｏ）デバイスインターフェース、およびプロセッサを備え、前記Ｉ／Ｏデバイスインターフェースは、前記コンピュータサーバを前記通信ネットワークに接続し、前記非一過性コンピュータ可読記憶媒体は、前記コンピュータサーバに、
前記通信ネットワークを介して、前記バイオメトリックセンサの組によって出力される前記バイオメトリックセンサデータと、前記バイオメカニカルセンサの組によって出力される前記バイオメカニカルデータと、を収集するステップと、
収集された前記バイオメトリックセンサデータおよび前記バイオメカニカルセンサデータを使用して、前記従業員の健康プロファイルを決定するステップであって、前記従業員の前記健康プロファイルは、収集された前記バイオメトリックセンサデータおよび前記バイオメカニカルセンサデータを使用して決定された、前記従業員の健康特性、健康状態、健康の危険性、および健康計画を含む、ステップと、
前記データベースに記憶された前記健康情報を、前記従業員の前記健康プロファイルを反映するように更新するステップと、
前記コンピュータワークステーションのユーザへの提示のために、前記コンピュータワークステーションに、前記従業員の前記健康プロファイルに関する情報を伝達するように構成されたアバターを含む健康プロファイルコンテンツを供給するステップであって、前記アバターは、前記従業員の前記健康プロファイルの前記健康特性、前記健康状態、前記健康の危険性、および前記健康計画のうちの少なくとも１つを伝達するように構成された健康状況アバターと、前記従業員が前記健康計画の１つ以上の健康目標を達成することを助けるために提案される行動を含む、指導情報を伝達するように構成された指導アバターと、のうちの少なくとも１つを含む、ステップと、を実行させるように前記プロセッサによって実行可能である、前記記憶媒体に記憶された１組のコンピュータ可読命令をを有する、コンピュータサーバと、を備える、システム。
【請求項１１】
前記健康プロファイルコンテンツは、前記従業員の前記健康プロファイルの前記健康特性、前記健康状態、前記健康の危険性、および前記健康計画のうちの前記少なくとも１つの文字による説明を含み、前記アバターは、前記ユーザに、前記従業員の前記健康プロファイルの前記健康特性、前記健康状態、前記健康の危険性、および前記健康計画のうちの前記少なくとも１つの文字による説明の表示を、前記アバターによる前記従業員の前記更新された健康プロファイルの前記健康特性、前記健康状態、前記健康の危険性、および前記健康計画のうちの前記少なくとも１つの言葉による読み上げを伴って提供するように、前記従業員の前記健康プロファイルの前記健康特性、前記健康状態、前記健康の危険性、および前記健康計画のうちの前記少なくとも１つを言葉で伝達するように構成されたアニメーションキャラクターを含む、請求項１０に記載のシステム。
【請求項１２】
前記アバターは、可聴音声を介して伝達するように構成されたアニメーションキャラクターを含み、前記アバターは、前記アバターが前記ユーザに話しかけているように見えるようにアニメーション化される、請求項１０または１１に記載のシステム。
【請求項１３】
前記コンピュータ可読命令は、前記コンピュータサーバに、さらに、
前記従業員の前記健康特性、前記健康状態、および前記健康の危険性のうちの１つ以上を、前記健康特性、前記健康状態、および前記健康の危険性のうちの前記１つ以上に対応する所定の閾値範囲と比較するステップと、
前記比較に基づいて、前記従業員に対して決定された前記健康特性、前記健康状態、および前記健康の危険性のうちの前記１つ以上のうちの少なくとも１つが、前記健康特性、前記健康状態、および前記健康の危険性のうちの前記１つ以上に対応する所定の閾値範囲外にあることを決定するステップと、を実行させるように、前記プロセッサによって実行可能であり、
前記アバターは、人体のグラフィック表示であって、前記人体の前記グラフィック表示上に表示される１つ以上のグラフィックによる警告を含む、グラフィック表示を含み、前記グラフィックによる警告は、前記対応する所定の閾値範囲外であると決定された前記従業員の前記健康特性、前記健康状態、および前記健康の危険性のうちの前記１つ以上の位置に対応する前記人体の前記グラフィック表示上の位置に表示される、請求項１０〜１２のいずれか一項に記載のシステム。
【請求項１４】
前記コンピュータ可読命令は、前記コンピュータサーバに、さらに、
前記従業員の前記健康計画の健康目標を識別するステップと、
前記健康目標の達成を助けるために前記従業員がとるべき行動を識別するステップと、を実行させるように、前記プロセッサによって実行可能であり、
前記アバターは、前記健康目標の達成を助けるために前記従業員がとるべき前記行動のアニメーションによる実演を提供するように構成された、指導アバターを含む、請求項１０〜１３のいずれか一項に記載のシステム。
【請求項１５】
前記行動は、身体運動を含む、請求項１４に記載のシステム。
【請求項１６】
前記コンピュータ可読命令は、前記コンピュータサーバに、
前記従業員の前記健康計画の健康目標を識別するステップと、
前記健康目標の達成を助けるために前記従業員がとるべき行動を識別するステップと、をさらに実行させるように、前記プロセッサによって実行可能であり、
前記アバターは、前記健康目標の達成を助けるために、前記従業員がとるべき前記行動の言葉による説明を提供するように構成された、指導アバターを含む、請求項１０〜１５のいずれか一項に記載のシステム。
【請求項１７】
前記アバターは、対話型健康ダッシュボードを介して表示される、請求項１０〜１６のいずれか一項に記載のシステム。
【請求項１８】
前記アバターは、健康状況ウィジェットを介して表示される、請求項１０〜１７のいずれか一項に記載のシステム。
【請求項１９】
通信ネットワークと通信状態にあるコンピュータワークステーションと、前記従業員の健康のバイオメトリックおよびバイオメカニカル特性を検出するための前記ワークステーションに設置される１組の健康センサと、を備える健康監視システムによって監視される、１つ以上の健康状態に基づいて、従業員に健康情報を提供することに使用されるプログラム命令を含む、非一過性コンピュータ可読記憶媒体であって、前記１組の健康センサは、１組のバイオメトリックセンサおよび１組のバイオメカニカルセンサのうちの少なくとも１つを備え、前記１組のバイオメトリックセンサは、１つ以上の温度変換器、１つ以上の力変換器、１対以上の導電性接触部、１つ以上の血圧変換器、１つ以上の呼吸センサ、および１つ以上のパルスオキシメーターのうちの少なくとも１つを備え、前記１組のバイオメトリックセンサは、前記従業員の体温を示す、前記温度変換器のうちの１つ以上によって出力される温度データ、前記従業員の体重を示す、前記力変換器のうちの１つ以上によって出力される力データ、前記従業員の体脂肪を示す、前記１対の導電性接触部のうちの１つ以上によって出力される抵抗データ、前記従業員の血圧を示す、前記血圧変換器のうちの１つ以上によって出力される圧力データ、前記従業員の呼吸数を示す、前記１つ以上の呼吸センサによって出力される呼吸データ、および前記従業員の血液酸素化を示す、前記パルスオキシメーターのうちの１つ以上によって出力される血液状態データから構成されるバイオメトリックセンサデータを出力するように構成され、前記１組のバイオメカニカルセンサは、１つ以上の温度変換器、１つ以上の力変換器、および３次元映像データを得るように適合された１つ以上のカメラのうちの少なくとも１つから構成され、前記１組のバイオメカニカルセンサは、前記従業員の身体の位置を示す、前記温度変換器のうちの１つ以上によって出力される温度データ、前記従業員の前記身体の位置を示す前記力変換器のうちの１つ以上によって出力される力データ、前記従業員の前記身体の位置および眼の動きを示す、３次元画像を含む前記カメラのうちの１つ以上によって出力される画像データから構成される、バイオメカニカルセンサデータを出力するように構成され、前記コンピュータプログラム命令は、
前記通信ネットワークを介して、前記１組のバイオメトリックセンサによって出力される前記バイオメトリックセンサデータおよび前記１組のバイオメカニカルセンサによって出力される前記バイオメカニカルデータを収集するステップと、
収集された前記バイオメトリックセンサデータおよび前記バイオメカニカルセンサデータを使用して、前記従業員の健康プロファイルを決定するステップであって、前記従業員の前記健康プロファイルは、収集された前記バイオメトリックセンサデータおよび前記バイオメカニカルセンサデータを使用して決定される前記従業員の健康特性、健康状態、健康の危険性、および健康計画を含む、ステップと、
データベースに記憶された健康情報を、前記従業員の前記健康プロファイルを反映するように更新するステップと、
前記コンピュータワークステーションのユーザへの提示のために、前記コンピュータワークステーションに、前記従業員の前記健康プロファイルに関する情報を伝達するように構成されたアバターを含む健康プロファイルコンテンツを供給するステップであって、前記アバターは、前記従業員の前記健康プロファイルの前記健康特性、前記健康状態、前記健康の危険性、および前記健康計画のうちの少なくとも１つを伝達するように構成された健康状況アバターと、前記従業員が前記健康計画の１つ以上の健康目標を達成することを助けるために提案される行動を含む、指導情報を伝達するように構成された指導アバターと、のうちの少なくとも１つを含む、ステップと、を行うように、前記プロセッサによって実行可能である、非一過性コンピュータ可読記憶媒体。
【請求項２０】
従業員の前記健康を監視するためにコンピュータにより実行される方法であって、前記コンピュータにより実行される方法は、
前記従業員のワークステーション全体に設置される複数の健康センサを介して取得される従業員のバイオメトリック健康データおよびバイオメカニカル健康データのうちの少なくとも１つに対応する健康データを収集することであって、前記従業員のワークステーションは、
従業員コンピュータと、
バイオメトリックセンサおよびバイオメカニカルセンサのうちの少なくとも１つを含む複数の健康センサであって、前記バイオメトリックセンサは、前記従業員のバイオメトリック特性を感知して、前記従業員のバイオメトリック特性を示す対応のバイオメトリック健康データを出力するように構成され、前記バイオメカニカルセンサは、前記従業員のバイオメカニカル特性を感知して、前記従業員のバイオメカニカル特性を示す対応のバイオメカニカル健康データを出力するように構成され、前記複数の健康センサは、前記従業員の前記バイオメトリック健康データおよび前記バイオメカニカル健康データに対応する健康データを出力するように構成される、複数の健康センサと、を備えることと、
少なくともある程度前記収集された健康データに基づいて、前記従業員の健康プロファイルを決定することであって、前記健康プロファイルは、前記従業員の健康特性、健康状態、健康の危険性、および健康計画のうちの１つ以上を含むことと、
表示用の前記従業員コンピュータに、前記従業員の前記健康プロファイルに関する情報を伝達するように構成されたアバターを含む、健康プロファイルコンテンツを供給することと、を含む、方法。
【請求項２１】
非一過性コンピュータ可読記憶媒体であって、請求項２０に記載の方法をプロセッサが起動するように、コンピュータプロセッサによって実行可能な命令を含む非一過性コンピュータ可読記憶媒体。